(57)【要約】【課題】使用者の蓋開閉時の安全性を高めること。【解決手段】洗濯機内部に設けた水受槽２５と、水受槽２５内に回転自在に配設された洗濯脱水槽２６と、洗濯脱水槽２６上部に設けた外装カバー２４と、外装カバー２４に設けた衣類を投入する衣類投入用開口部２３と、衣類投入用開口部２３を開閉する外蓋２８と、外蓋２８に設けた把手部材４３と、外蓋２８と把手部材４３とを回転可能に軸支する回転軸４５とを備え、把手部材４３の裏面には、回転軸４５を支持する外蓋２８に設けた回転軸支持部４６に当接する当接部４７を設けたことにより、外観品質を維持しながら、屈曲時に前蓋と後蓋との隙間を小さくすることができる。【選択図】図４
2014018611.tif 000002
【特許請求の範囲】
【請求項１】
洗濯機内部に設けた水受槽と、前記水受槽内に回転自在に配設された洗濯脱水槽と、前記洗濯脱水槽上部に設けた外装カバーと、前記外装カバーに設けた衣類を投入する衣類投入用開口部と、前記衣類投入用開口部を開閉する外蓋と、前記外蓋に設けた把手部材と、前記外蓋と前記把手部材とを回転可能に軸支する回転軸とを備え、前記把手部材の裏面には、前記回転軸を支持する前記外蓋に設けた回転軸支持部に当接する当接部を設けた洗濯機。
【請求項２】
前記把手部材には、前記回転軸を覆うリブを設け、前記当接部と前記リブとの間に前記回転軸が位置するようにした請求項１に記載の洗濯機。
【請求項３】
前記当接部と前記リブとは略平行になるようにした請求項２に記載の洗濯機。
【発明の詳細な説明】
【技術分野】
【０００１】
本発明は、洗濯槽の上部に設置した外蓋を有する洗濯乾に関するものである。
【背景技術】
【０００２】
従来、洗濯機においては、洗濯槽内の上部に設置した外蓋が、２つに折れ曲がるように外蓋を２分割し、その２分割された外蓋の間に軸支構造を設けたものが知られている。（例えば、特許文献１参照）。
【０００３】
図５は、従来の洗濯機の外観を示す外観斜視図、図６は、図５において外蓋を開いた状態を示す外観斜視図である。以下その構成について説明する。
【０００４】
洗濯機本体３１の上面を被覆する外装カバー３２の略中央部には開閉自在に外蓋を構成する外蓋３３を配置する。外蓋３３は、前蓋３４と後蓋３５を軸支部３６にて、軸支構造で折り畳み可能に構成している。
【０００５】
また、後蓋３５と対向する位置であって前蓋３４の前方部に配され、前蓋３４の洗濯機本体３１の前方上部の操作表示パネル３８に近接した位置に配した把手部３７を上方に持ち上げることで、外蓋を開くことができる。
【０００６】
把手部３７を持ち上げて外蓋３３を後方に倒すことで、前蓋３４と後蓋３５とを軸支部３６で屈曲させて外蓋３３は開き、内部の洗濯脱水槽３９に衣類等の洗濯物の投入や、洗剤の投入を行う。また、蓋が閉じた状態では、前蓋３４と後蓋３５とが屈曲した状態ではなく、前蓋３４と後蓋３５とが平坦となり１つの面を形成する。
【先行技術文献】
【特許文献】
【０００７】
【特許文献１】特開２０１１−２００２７４号公報
【発明の概要】
【発明が解決しようとする課題】
【０００８】
しかしながら、前記従来の洗濯機の構成では、図６に示すように、前蓋が略鉛直下方に折れ曲がり、前蓋と後蓋との軸支部における隙間が大きくなり、外蓋を開閉する際に、前蓋と後蓋との隙間、すなわち外蓋の屈曲部の隙間に使用者が指を挟むことがあった。
【０００９】
本発明は、前記従来の課題を解決するもので、外観品質を維持しながら、外蓋の屈曲部の隙間を小さくすることを目的とする。
【課題を解決するための手段】
【００１０】
前記従来の課題を解決するために、本発明の洗濯機は、洗濯機内部に設けた水受槽と、前記水受槽内に回転自在に配設された洗濯脱水槽と、前記洗濯脱水槽上部に設けた外装カバーと、前記外装カバーに設けた衣類を投入する衣類投入用開口部と、前記衣類投入用開口部を開閉する外蓋と、前記外蓋に設けた把手部材と、前記外蓋と前記把手部材とを回転可能に軸支する回転軸とを備え、前記把手部材の裏面には、前記回転軸を支持する前記外蓋に設けた回転軸支持部に当接する当接部を設けたものである。
【００１１】
これによって、外蓋の屈曲部の隙間を小さくすることができる。
【発明の効果】
【００１２】
本発明の洗濯機は、外蓋の開閉作業を容易にすると共に、外観品質を維持しながら、外蓋の屈曲部の隙間を小さくし、使用者に対する安全性を向上する。
【図面の簡単な説明】
【００１３】
【図１】本発明の実施の形態１における洗濯機の側断面図
【図２】同、洗濯機の外蓋を開いた状態の側断面図
【図３】同、洗濯機の外蓋を開いた状態の外観斜視図
【図４】同、洗濯機の外蓋と把手部材との軸支構造を示す部分断面図
【図５】従来の洗濯機の外観斜視図
【図６】同、洗濯機の外蓋を開いた状態の外観斜視図
【発明を実施するための形態】
【００１４】
第１の発明は、洗濯機内部に設けた水受槽と、前記水受槽内に回転自在に配設された洗濯脱水槽と、前記洗濯脱水槽上部に設けた外装カバーと、前記外装カバーに設けた衣類を投入する衣類投入用開口部と、前記衣類投入用開口部を開閉する外蓋と、前記外蓋に設けた把手部材と、前記外蓋と前記把手部材とを回転可能に軸支する回転軸とを備え、前記把手部材の裏面には、前記回転軸を支持する前記外蓋に設けた回転軸支持部に当接する当接部を設けたことにより、簡単な構成で外蓋と把手部材との回転角度を適切に規制でき、外蓋の屈曲部の隙間を小さくすることができるので安全性が向上する。
【００１５】
第２の発明は、特に、第１の発明の把手部材には、前記回転軸を覆うリブを設け、前記当接部と前記リブとの間に前記回転軸が位置するようにしたことにより、軸支構造が視認しにくくなるので外観品質が向上するだけでなく、外蓋を開閉する際に使用者が軸支部分に触れにくくなり安全性が向上する。
【００１６】
第３の発明は、特に、第２の発明において、前記当接部と前記リブとは略平行になるようにしたことにより、把手部材の成型が容易となり、簡単な構造で安価に安全性と外観品質を向上することができる。
【００１７】
以下、本発明の実施の形態について、図面を参照しながら説明する。従来例と同じ構成のものは同一符号を付して説明を省略する。なお、説明の便宜上、図面に沿って上下左右の方向を示したが、これによって本発明が限定されるものではない。また、この実施の形態によって本発明が限定されるものではない。
【００１８】
（実施の形態１）
図１は、本発明の実施の形態１における洗濯機の側断面図、図２は、洗濯機の外蓋を開いた状態の側断面図、図３は、洗濯機の外蓋を開いた状態の外観斜視図、図４は、外蓋と把手部材との軸支構造を示す部分断面図である。
【００１９】
以下、図１〜図４を用いて説明する。
【００２０】
洗濯機本体２０の下部にはベース２１が設けられ、ベース２１には外枠２２が組み付けられている。外枠２２の上部には衣類投入用開口部２３が開口した外装カバー２４が設けられている。
【００２１】
洗濯機本体２０内部には水受槽２５が外枠２２に弾性支持されており、水受槽２５の内部には洗濯脱水槽２６が鉛直方向を軸にして回転自在に配設されている。
【００２２】
洗濯脱水槽２６の内部には、内底部に衣類を撹拌する回転翼２７が、洗濯脱水槽２６と
回転軸を同じにして設けられ、洗い行程やすすぎ行程、乾燥工程において衣類を撹拌する。
【００２３】
衣類投入用開口部２３は洗濯脱水槽２６の開口部４１の上方に位置し、衣類投入用開口部２３の上部に外蓋２８が設けられ、衣類投入用開口部２３を開閉する。
【００２４】
外装カバー２４において、外蓋２８の端部４２を回動可能に軸支している。外蓋２８の上面には透明窓部２９が設けられ、使用者が洗濯脱水槽２６内の衣類の状況を確認できるようになっており、透明窓部２９の材質はガラスやプラスチックなど透明度が高いものを使用することで視認性が向上する。
【００２５】
使用者は、衣類の投入、取り出しを、外蓋２８を開けて衣類投入用開口部２３を介して行う。洗濯機は使用者の安全確保のため、外蓋２８が閉じている場合に動作するようになっており、外蓋２８の開閉状態を蓋開閉検知手段（図示せず）により判定している。
【００２６】
外蓋２８には、外蓋２８の前方に把手部材４３を設けており、外蓋２８と把手部材４３とを回転軸４５によって連結している。これにより、把手部材４３は外蓋２８に対し回転可能に軸支され、把手部材４３と外蓋２８とは屈曲可能となる。
【００２７】
把手部材４３の裏面にはリブ状の当接部４７を設け、把手部材４３と一体的に形成される。把手部材４３が外蓋２８に対して屈曲する際に、当接部４７は、回転軸４５を支持する外蓋２８に設けた回転軸支持部４６に当接するよう作用する。
【００２８】
把手部材４３には、回転軸４５に沿った側端部４３ａのほぼ全長に渡ってリブ４８を設け、把手部材４３と一体的に形成される。リブ４８は、把手部材４３が外蓋２８に対して屈曲する際に、回転軸４５を覆うように位置し、使用者が回転軸４５を含む軸支構造を視認しにくくなるように作用する。また、把手部材４３と外蓋２８とが屈曲する際に、リブ４８により、使用者が軸支部分に触れにくくなり安全性が向上する。
【００２９】
なお、当接部４７とリブ４８との間に回転軸４５が位置するようにすることで、使用者が回転軸４５を含む軸支構造を、多様な角度から一層視認しにくくなるように作用する。
【００３０】
把手部材４３は、上部把手部材４３１と下部把手部材４３２とを結合した構造を有し、当接部４７およびリブ４８はともに下部把手部材４３２に設けている。ここで、当接部４７とリブ４８とは略平行となるよう設けている。これにより、当接部４７とリブ４８とを把手部材４３と一体的に形成する際に、金型を簡単な構造にすることができるので、把手部材の成型が容易となり安価に生産できる。
【００３１】
把手部材４３には、上部把手部材４３１と下部把手部材４３２との間に、上方に開口した手掛け部４４を設けている。
【００３２】
手掛け部４４に使用者が手指を挿入し、上方へ引き上げながら後方へ倒すようにして外蓋２８を開く。洗濯機の外蓋を開いた状態は、図２および図３が示すように、外蓋２８は端部４２の軸支により洗濯機本体２０に対して略直立状態となる。このとき、把手部材４３は回転軸４５を回転中心として屈曲し、当接部４７が回転軸支持部４６に当接することで屈曲する回転角度が規制され、把手部材４３は洗濯機本体２０に対して略水平状態となる。
【００３３】
このように、簡単な構成で外蓋と把手部材との回転角度を適切に規制でき、外蓋と把手部材とがなす屈曲時における隙間、すなわち外蓋の屈曲部の隙間を小さくすることができ
るので安全性が向上する。
【産業上の利用可能性】
【００３４】
以上のように、本発明にかかる洗濯機は、外観品質を維持しながら、外蓋の開閉作業を容易にし、使用者に対する安全性が向上するので、家庭用のみならず業務用の洗濯機等の用途にも適用できる。
【符号の説明】
【００３５】
２３  衣類投入用開口部、
２４  外装カバー
２５  水受槽
２６  洗濯脱水槽
２８  外蓋
４３  把手部材
４５  回転軸
４６  回転軸支持部
４７  当接部
４８  リブ
【図２】
2014018611.tif 000003
【図３】
2014018611.tif 000004
【図１】
2014018611.tif 000005
【図４】
2014018611.tif 000006
【図５】
2014018611.tif 000007
【図６】
2014018611.tif 000008